(57)【要約】【課題】  入力系統を間違えることなく調整を行うことを課題とする。【解決手段】  テレビジョン２０のマイコン２４が実行する信号発生モジュールＭ１がテストパターンを表示可能なアナログ映像信号を生成するため、外部に信号発生器等を接続せずに済み、作業性がよい。また、調整対象とする複数の入力系統を順次選択し、それぞれについて調整パラメータＰv1，Ｐv2を算出することができる。その際、リモコン信号によってコンピュータ２０とテレビジョン１０が呼応した動作を行うため、調整パラメータＰv1，Ｐv2の誤設定が防止できる。さらに、入力系統ごとにテストパターンの色配置をコンピュータ２０が識別するため、より正確な調整を行うことができる。【選択図】  図５
2007036859.tif 000002
【特許請求の範囲】
【請求項１】
テレビジョンのモニターに映し出されたテストパターンをカラーアナライザーにて測色し、同測色結果に応じてホワイトバランスを調整するため調整パラメータを同テレビジョンに設定するコンピュータを備えるテレビジョンのホワイトバランス調整システムにおいて、
上記テレビジョンは、
リモコン受信器と、
複数の入力系統ごとに設けられた外部映像入力端子と、
複数の入力系統ごとに設けられ、上記外部映像入力端子から入力されたアナログ映像信号をデジタル映像信号に変換するＡ／Ｄ変換手段と、
各入力系統に応じて色配置が異なるとともに、上記カラーアナライザーの死角にて当該入力系統名を表示した上記テストパターンを表示可能なアナログ映像信号を上記リモコン受信器にて受信されたリモコン信号に応じて上記Ａ／Ｄ変換手段に出力する信号発生手段と、
入力系統ごとに設定された上記調整パラメータを使用して上記デジタル映像信号のホワイトバランス調整を行いつつ上記モニターに同デジタル映像信号を出力する映像処理手段と、
上記コンピュータは、
調整対象の入力系統を選択する選択手段と、
選択された入力系統に対応した上記テストパターンを表示させる旨の上記リモコン信号を発生させるリモコン信号発生手段と、
上記カラーアナライザーによる上記テストパターンの測色結果から上記色配置を取得する配置取得手段と、
上記色配置に基づいて当該テストパターンがどの入力系統のものであるか特定する入力系統特定手段と、
上記入力系統特定手段にて特定した入力系統と上記選択手段にて選択された入力系統が合致する場合に、上記カラーアナライザーによる上記テストパターンの測色結果に基づいて当該入力系統に対応する上記調整パラメータを算出する算出手段と、
上記入力系統ごとに上記調整パラメータを上記テレビジョンの上記映像処理手段に設定する設定手段とを具備することを特徴とするテレビジョンのホワイトバランス調整システム。
【請求項２】
テレビジョンのモニターに映し出されたテストパターンをカラーアナライザーにて測色し、同測色結果に応じて画質を調整するため調整パラメータを同テレビジョンに設定するコンピュータを備えるテレビジョンの画質調整システムにおいて、
上記テレビジョンは、
リモコン受信器と、
複数の入力系統ごとに設けられた外部映像入力端子と、
上記テストパターンを表示可能な映像信号を上記リモコン受信器にて受信されたリモコン信号に応じて出力する信号発生手段と、
入力系統ごとに設定された上記調整パラメータを使用して映像信号の画質調整を行いつつ上記モニターに映像信号を出力する映像処理手段と、
上記コンピュータは、
調整対象の入力系統を順次選択する選択手段と、
上記テストパターンを表示させる旨の上記リモコン信号を発生させるリモコン信号発生手段と、
上記カラーアナライザーによる上記テストパターンの測色結果に基づいて、上記選択手段にて選択された入力系統に対応する上記調整パラメータを算出する算出手段と、
上記入力系統ごとに上記調整パラメータを上記テレビジョンの上記映像処理手段に設定する設定手段とを具備することを特徴とするテレビジョンの画質調整システム。
【請求項３】
上記テレビジョンは、
複数の入力系統ごとに設けられ、上記外部映像入力端子から入力されたアナログ映像信号をデジタル映像信号に変換するＡ／Ｄ変換手段を具備するとともに、
上記信号発生手段は、
上記テストパターンを表示可能なアナログ映像信号を上記Ａ／Ｄ変換手段に出力し、
上記映像処理手段は、上記調整パラメータを使用して上記Ａ／Ｄ変換手段にて変換されたデジタル映像信号の画質調整を行うことを特徴とする請求項２に記載のテレビジョンの画質調整システム。
【請求項４】
上記信号発生手段は、入力系統ごとに異なる色配置の上記テストパターンが表示可能な上記アナログ映像信号を発生可能であるとともに、
上記リモコン信号発生手段は、選択された入力系統に対応した上記テストパターンを表示させる旨の上記リモコン信号を発生させることを特徴とする請求項３に記載のテレビジョンの画質調整システム。
【請求項５】
上記コンピュータは、
上記カラーアナライザーによる上記テストパターンの測色結果から上記色配置を取得する配置取得手段と、
上記色配置に基づいて当該テストパターンがどの入力系統のものであるか特定する入力系統特定手段とを具備するとともに、
上記算出手段は、上記入力系統特定手段にて特定した入力系統と上記選択手段にて選択された入力系統が合致する場合に、上記カラーアナライザーによる上記テストパターンの測色結果に基づいて当該入力系統に対応する上記調整パラメータを算出することを特徴とする請求項４に記載のテレビジョンの画質調整システム。
【請求項６】
上記テストパターンにおける上記カラーアナライザーの死角には、入力系統名が表示されることを特徴とする請求項５に記載のテレビジョンの画質調整システム。
【請求項７】
テレビジョンのモニターに映し出されたテストパターンをカラーアナライザーにて測色し、コンピュータが同測色結果に応じて画質を調整するため調整パラメータを同テレビジョンに設定するテレビジョンの画質調整方法において、
上記テレビジョンが備える信号発生手段にて上記テストパターンを表示可能な映像信号を上記リモコン受信器にて受信されたリモコン信号に応じて出力する信号発生工程と、
上記テレビジョンが備える映像処理手段にて入力系統ごとに設定された上記調整パラメータを使用して映像信号の画質調整を行いつつ上記モニターに映像信号を出力する映像処理工程と、
上記コンピュータが備える選択手段にて調整対象の入力系統を順次選択する選択工程と、
上記コンピュータが備えるリモコン信号発生手段にて上記テストパターンを表示させる旨の上記リモコン信号を発生させるリモコン信号発生工程と、
上記コンピュータが備える算出手段にて上記カラーアナライザーによる上記テストパターンの測色結果に基づいて、上記選択手段にて選択された入力系統に対応する上記調整パラメータを算出する算出工程と、
上記コンピュータが備える設定手段にて上記入力系統ごとの上記調整パラメータを上記テレビジョンの上記映像処理手段に設定する設定工程とを具備することを特徴とするテレビジョンの画質調整方法。
【発明の詳細な説明】
【技術分野】
【０００１】
本発明は、テレビジョンのホワイトバランス調整システム、テレビジョンの画質調整システムおよびテレビジョンの画質調整方法に関する。
【背景技術】
【０００２】
従来、この種のテレビジョンのホワイトバランス調整システムとして、テレビジョンの内部にて発生させたテストパターンに基づいてホワイトバランスを調整するものが知られている（例えば、特許文献１参照）。
かかる構成によれば、外部からテストパターンを表示させるための映像信号を入力する必要がないため、作業が容易になるとともに、調整のばらつきを抑えることが可能であった。
【特許文献１】特開２００５−５７６４７号公報
【発明の開示】
【発明が解決しようとする課題】
【０００３】
複数の入力系統を有するテレビジョンにおいては、各入力系統に対してそれぞれホワイトバランスの調整を行う必要がある。このような場合、上述したテレビジョンのホワイトバランス調整システムでは、どの入力系統に対してホワイトバランスの調整を行っているかどうかが不明となり、誤った調整パラメータの設定を行ってしまうという課題があった。
本発明は、上記課題にかんがみてなされたもので、入力系統を間違えることなく調整を行うことが可能なテレビジョンのホワイトバランス調整システム、テレビジョンの画質調整システムおよびテレビジョンの画質調整方法の提供を目的とする。
【課題を解決するための手段】
【０００４】
上記目的を達成するために、請求項２にかかる発明では、テレビジョンのモニターに映し出されたテストパターンをカラーアナライザーにて測色し、同測色結果に応じて画質を調整するため調整パラメータを同テレビジョンに設定するコンピュータを備えるテレビジョンの画質調整システムにおいて、
上記テレビジョンは、リモコン受信器と、複数の入力系統ごとに設けられた外部映像入力端子と、上記テストパターンを表示可能な映像信号を上記リモコン受信器にて受信されたリモコン信号に応じて出力する信号発生手段と、入力系統ごとに設定された上記調整パラメータを使用して映像信号の画質調整を行いつつ上記モニターに映像信号を出力する映像処理手段と、上記コンピュータは、調整対象の入力系統を順次選択する選択手段と、上記テストパターンを表示させる旨の上記リモコン信号を発生させるリモコン信号発生手段と、上記カラーアナライザーによる上記テストパターンの測色結果に基づいて、上記選択手段にて選択された入力系統に対応する上記調整パラメータを算出する算出手段と、上記入力系統ごとに上記調整パラメータを上記テレビジョンの上記映像処理手段に設定する設定手段とを具備する構成としてある。
【０００５】
上記のように構成した請求項２において、テストパターンテレビジョンのモニターに映し出し、同テストパターンをカラーアナライザーにて測色する。そして、コンピュータが上記カラーアナライザーの測色結果に基づいて、画質を調整するため調整パラメータを上記テレビジョンに設定する。上記テレビジョンには、リモコン受信器が備えられ、リモコン信号を受信することができる。上記テレビジョンには、外部映像入力端子が複数の入力系統ごとに設けられ、複数の入力系統の映像信号を入力することができる。上記テレビジョンには、信号発生手段が備えられ、同信号発生手段が上記リモコン受信器にて受信されたリモコン信号に応じて、上記テストパターンを表示可能な映像信号を出力する。さらに、上記テレビジョンには、映像処理手段が備えられており、同映像処理手段が入力系統ごとに設定された上記調整パラメータを使用して映像信号の画質調整を行う。画質調整が行われた映像信号は上記モニターに出力され表示される。
【０００６】
上記コンピュータには、選択手段が備えられ、同選択手段が調整対象の入力系統を順次選択する。リモコン信号発生手段は、上記テストパターンを表示させる旨の上記リモコン信号を発生させる。これにより、上記レテビジョンは上記テレビジョンを表示させることができる。さらに、上記コンピュータには算出手段が備えられ、同算出手段が上記カラーアナライザーによる上記テストパターンの測色結果に基づいて、上記選択手段にて選択された入力系統に対応する上記調整パラメータを算出する。さらに、設定手段が上記調整パラメータを上記入力系統ごとに上記テレビジョンの上記映像処理手段に設定する。上記選択手段にて選択された入力系統ごとに上記調整パラメータの設定を行うことができるため、誤った入力系統に対して同調整パラメータが設定されることが防止できる。
【０００７】
また、請求項３にかかる発明では、上記テレビジョンは、複数の入力系統ごとに設けられ、上記外部映像入力端子から入力されたアナログ映像信号をデジタル映像信号に変換するＡ／Ｄ変換手段を具備するとともに、上記信号発生手段は、上記テストパターンを表示可能なアナログ映像信号を上記Ａ／Ｄ変換手段に出力し、上記映像処理手段は、上記調整パラメータを使用して上記Ａ／Ｄ変換手段にて変換されたデジタル映像信号の画質調整を行う構成としてある。
【０００８】
上記のように構成した請求項３の発明において、上記テレビジョンにＡ／Ｄ変換手段が複数の入力系統ごとに備えられ、各Ａ／Ｄ変換手段にて上記外部映像入力端子から入力されたアナログ映像信号をデジタル映像信号に変換する。上記信号発生手段は上記テストパターンを表示可能な映像信号をアナログ映像信号として発生させ、上記Ａ／Ｄ変換手段に出力する。そして、上記Ａ／Ｄ変換手段にて変換されたデジタル映像信号に対して上記映像処理手段が上記調整パラメータを使用して画質調整を行う。
【０００９】
さらに、請求項４にかかる発明では、上記信号発生手段は、入力系統ごとに異なる色配置の上記テストパターンが表示可能な上記アナログ映像信号を発生可能であるとともに、上記リモコン信号発生手段は、選択された入力系統に対応した上記テストパターンを表示させる旨の上記リモコン信号を発生させる構成としてある。
上記のように構成した請求項４の発明において、入力系統ごとに上記テストパターンが用意され、各テストパターンの色配置が異なる。そして、上記リモコン信号発生手段は、選択された入力系統に対応した上記テストパターンを表示させるような上記リモコン信号を出力する。これにより、上記リモコン受信器にて上記リモコン信号を受信した上記テレビジョンは、選択された入力系統に対応する色配置の上記テストパターンを表示することができる。
【００１０】
また、請求項５にかかる発明では、上記コンピュータは、上記カラーアナライザーによる上記テストパターンの測色結果から上記色配置を取得する配置取得手段と、上記色配置に基づいて当該テストパターンがどの入力系統のものであるか特定する入力系統特定手段とを具備するとともに、上記算出手段は、上記入力系統特定手段にて特定した入力系統と上記選択手段にて選択された入力系統が合致する場合に、上記カラーアナライザーによる上記テストパターンの測色結果に基づいて当該入力系統に対応する上記調整パラメータを算出する構成としてある。
【００１１】
上記のように構成した請求項５の発明において、上記コンピュータには配置取得手段が備えられ、同配置取得手段は上記カラーアナライザーによる上記テストパターンの測色結果から上記色配置を取得する。これにより、上記テレビジョンが表示しているどの入力系統の上記テストパターンを表示しているかを特定することができる。そして、上記算出手段は、上記入力系統特定手段が特定した入力系統と上記選択手段にて選択された入力系統が合致する場合に限って、上記テストパターンの測色結果に基づいて当該入力系統に対応する上記調整パラメータを算出する。
【００１２】
さらに、請求項６にかかる発明は、上記テストパターンにおける上記カラーアナライザーの死角には、入力系統名が表示される構成としてある。
上記のように構成した請求項６の発明において、上記テストパターンにおける上記カラーアナライザーの死角に入力系統名が表示されるため、どの入力系統について画質調整を行っているかを容易に特定することができる。また、上記カラーアナライザーの死角に入力系統名が表示されるため、同カラーアナライザーの測色結果に影響を与えることもない。
【００１３】
以上の構成を踏まえたうえで、請求項１の発明は、テレビジョンのモニターに映し出されたテストパターンをカラーアナライザーにて測色し、同測色結果に応じてホワイトバランスを調整するため調整パラメータを同テレビジョンに設定するコンピュータを備えるテレビジョンのホワイトバランス調整システムにおいて、
上記テレビジョンは、リモコン受信器と、複数の入力系統ごとに設けられた外部映像入力端子と、複数の入力系統ごとに設けられ、上記外部映像入力端子から入力されたアナログ映像信号をデジタル映像信号に変換するＡ／Ｄ変換手段と、各入力系統に応じて色配置が異なるとともに、上記カラーアナライザーの死角にて当該入力系統名を表示した上記テストパターンを表示可能なアナログ映像信号を上記リモコン受信器にて受信されたリモコン信号に応じて上記Ａ／Ｄ変換手段に出力する信号発生手段と、入力系統ごとに設定された上記調整パラメータを使用して上記デジタル映像信号のホワイトバランス調整を行いつつ上記モニターに同デジタル映像信号を出力する映像処理手段と、上記コンピュータは、調整対象の入力系統を選択する選択手段と、選択された入力系統に対応した上記テストパターンを表示させる旨の上記リモコン信号を発生させるリモコン信号発生手段と、上記カラーアナライザーによる上記テストパターンの測色結果から上記色配置を取得する配置取得手段と、上記色配置に基づいて当該テストパターンがどの入力系統のものであるか特定する入力系統特定手段と、上記入力系統特定手段にて特定した入力系統と上記選択手段にて選択された入力系統が合致する場合に、上記カラーアナライザーによる上記テストパターンの測色結果に基づいて当該入力系統に対応する上記調整パラメータを算出する算出手段と、上記入力系統ごとに上記調整パラメータを上記テレビジョンの上記映像処理手段に設定する設定手段とを具備する構成としてある。
【００１４】
このような、より具体的な構成において上述した請求項２〜請求項６の各発明と同様の作用を奏することはいうまでもない。また、上述した画質調整の手法は、その方法としても実現することができる。そこで、請求項７にかかる発明は、テレビジョンのモニターに映し出されたテストパターンをカラーアナライザーにて測色し、コンピュータが同測色結果に応じて画質を調整するため調整パラメータを同テレビジョンに設定するテレビジョンの画質調整方法において、上記テレビジョンが備える信号発生手段にて上記テストパターンを表示可能な映像信号を上記リモコン受信器にて受信されたリモコン信号に応じて出力する信号発生工程と、上記テレビジョンが備える映像処理手段にて入力系統ごとに設定された上記調整パラメータを使用して映像信号の画質調整を行いつつ上記モニターに映像信号を出力する映像処理工程と、上記コンピュータが備える選択手段にて調整対象の入力系統を順次選択する選択工程と、上記コンピュータが備えるリモコン信号発生手段にて上記テストパターンを表示させる旨の上記リモコン信号を発生させるリモコン信号発生工程と、上記コンピュータが備える算出手段にて上記カラーアナライザーによる上記テストパターンの測色結果に基づいて、上記選択手段にて選択された入力系統に対応する上記調整パラメータを算出する算出工程と、上記コンピュータが備える設定手段にて上記入力系統ごとの上記調整パラメータを上記テレビジョンの上記映像処理手段に設定する設定工程とを具備する構成としてある。
【発明の効果】
【００１５】
以上説明したように請求項１、請求項２および請求項７の発明によれば、入力系統を間違えることなく調整を行うことが可能なテレビジョンのホワイトバランス調整システム、テレビジョンの画質調整システムおよびテレビジョンの画質調整方法を提供することができる。
請求項３の発明によれば、Ａ／Ｄ変換の差によって生じる画質のばらつきも補正することができる。
請求項４の発明によれば、コンピュータが指示する入力系統でテストパターンを表示することができる。
請求項５の発明によれば、入力系統の間違いを確実に防止することができる。
請求項６の発明によれば、容易に入力系統を確認ことができる。
【発明を実施するための最良の形態】
【００１６】
ここでは、下記の順序に従って本発明の実施形態について説明する。
（１）ホワイトバランス調整システムの構成：
（２）ホワイトバランス調整の流れ：
（３）まとめ：
【００１７】
（１）ホワイトバランス調整システムの構成：
図１は、本発明の一実施形態にかかるテレビジョンのホワイトバランス調整システムを概略ブロック図により示している。同図において、ホワイトバランス調整システム１０はテレビジョン２０とコンピュータ３０とカラーアナライザー４０とから構成されている。同図において、複数のテレビジョン２０，２０，２０・・・がコンベアＣＶ上を搬送されており、所定の位置に停止したテレビジョン２０の液晶モニターに対して２個のカメラ４１，４１が対面することが可能となっている。コンベアＣＶは間欠搬送を行っており、テレビジョン２０のモニターにカメラ４１，４１が対面した状態で、所定の時間停止する。所定の時間が経過すると、再度、搬送・停止を行い、次のテレビジョン２０の液晶モニターにカメラ４１，４１を対面させる。
【００１８】
カメラ４１，４１が接続されたカラーアナライザー４０はコンピュータ３０に接続されており、カラーアナライザー４０による測色結果がコンピュータ３０に入力される。コンピュータ３０にはリモコン送信器３９が接続されている。リモコン送信器３９はコンピュータ３０の指令に基づいてリモコン信号が生成可能であるとともに、生成したリモコン信号をカメラ４１，４１が対面するテレビジョン２０に赤外線送信することが可能となっている。
【００１９】
図２は、テレビジョン２０の内部構成を示している。同図において、テレビジョン２０は液晶モニター２１を有しており、同液晶モニター２１にて映像を表示することが可能となっている。液晶モニター２１には液晶ドライバ２２が付設されており、液晶ドライバ２２が画像処理回路２３から出力されたデジタル映像信号に基づいて液晶モニター２１が駆動可能な駆動信号を生成する。画像処理回路２３は図示しないチューナから中間周波信号等の映像信号を入力しており、同映像信号に基づいてデジタル形式の画像データを生成する。同画像データはＶＲＡＭ２７に一次記憶され、順次、液晶ドライバ２２に送出される。これにより、チューナにて受信したテレビジョン映像を液晶モニター２１に出力することができる。
【００２０】
画像処理回路２３には２個のＡ／Ｄ変換回路２３ｂ１，２３ｂ２が備えられており、同Ａ／Ｄ変換回路２３ｂ１，２３ｂ２に対してそれぞれ外部映像入力端子Ｘ１，Ｘ２が接続されている。外部映像入力端子Ｘ１，Ｘ２は、それぞれ異なるコネクタ形状を有しており、異なる形式のアナログ映像信号を入力することが可能となっている。例えば、外部映像入力端子Ｘ１にはコンポジット信号が入力系統ＶＩＤＥＯ１として入力され、外部映像入力端子Ｘ２にはコンポーネント信号が入力系統ＶＩＤＥＯ２として入力される。なお、コンポジット信号は輝度信号（Ｙ信号）と色信号（Ｃ信号）とを同一の配線により伝送する形式であり、コンポーネント信号は輝度信号（Ｙ信号）と色信号（Ｃｂ，Ｃｒ信号）を個別の配線により伝送する形式である。
【００２１】
Ａ／Ｄ変換回路２３ｂ１，２３ｂ２は、入力された各形式のアナログ映像信号をＲＧＢのデジタル階調で各画素の色が表現されたデジタル映像信号に変換する。そして、変換されたデジタル映像信号はホワイトバランス調整回路２３ａにて、階調が調整される。ホワイトバランス調整回路２３ａが画質調整を行うにあたっては、ＥＥＰＲＯＭ２５に記憶された調整パラメータＰv1，Ｐv2がそれぞれ使用される。調整パラメータＰv1，Ｐv2は、ＲＧＢ各チャンネルをどの程度補正するかを特定する数値で構成されており、調整パラメータＰv1は外部映像入力端子Ｘ１から入力された映像信号に対して使用され、調整パラメータＰv2は外部映像入力端子Ｘ２から入力された映像信号に対して使用される。
【００２２】
ＥＥＰＲＯＭ２５は書き換え可能な不揮発性メモリであるため、調整パラメータＰv1，Ｐv2を更新記憶することができる。マイコン２４は、図示しないＣＰＵとＲＡＭとＲＯＭによって構成されており、ＲＯＭに記憶されたプログラムにしたがった演算をＣＰＵが実行することにより、テレビジョン２０の制御を実現している。マイコン２４はリモコン受信器２６からリモコン信号を入力しており、同リモコン信号に応じて各種制御を実行させる。マイコン２４上にて信号発生モジュールＭ１が実行されており、同信号発生モジュールＭ１がテストパターンを再生可能なアナログ画像データをＡ／Ｄ変換回路２３ｂ１，２３ｂ２に出力する。
【００２３】
図３は、コンピュータ３０の内部構成を示している。同図において、コンピュータ３０はＣＰＵ３１とＲＡＭ３２とＲＯＭ３３とハードディスク（ＨＤＤ）３４とから構成されている。ＨＤＤ３４には制御プログラムＰのプログラムデータ３４ａが記憶されており、同プログラムデータ３４ａをＣＰＵ３１が読み出し、ＲＡＭ３２をワークエリアとして制御プログラムＰを実行させる。制御プログラムＰは、選択部Ｐ１とリモコン信号発生部Ｐ２と配置取得部Ｐ３と算出部Ｐ４と設定部Ｐ５の各モジュールによって構成されている。  
【００２４】
選択部Ｐ１は、ＶＩＤＥＯ１，２いずれの入力系統を調整するかを選択する。リモコン信号発生部Ｐ２は、選択部Ｐ１が選択した入力系統のテストパターンを表示させる旨のリモコン信号を生成し、リモコン発信器３９に同リモコン信号を出力する。リモコン発信器３９は、このリモコン信号を赤外線信号に変調し、発光する。テレビジョン２０のリモコン受信器２６は赤外線信号を入力し、指示されたテストパターンを表示させる旨の信号を、マイコン２４に出力する。これにより、液晶モニター２１にて選択部Ｐ１が選択した入力系統に対応したテストパターンを表示することができる。
【００２５】
図４は、液晶モニター２１に表示されるテストパターンを示している。同図において、ＶＩＤＥＯ１の調整を行うためのテストパターンと、ＶＩＤＥＯ２の調整を行うためのテストパターンがそれぞれ示されている。ＶＩＤＥＯ１用のテストパターンにおいては、全体の色信号Ｃが無彩色とされ、左半分の輝度Ｙが４０％に抑えられており、右半分の輝度Ｙが８０％とされている。一方、ＶＩＤＥＯ１用のテストパターンにおいては、全体の色差信号Ｃｂ，Ｃｒが無彩色とされ、左半分の輝度Ｙが８０％とされており、右半分の輝度Ｙが４０％に抑えられている。すなわち、いずれのテストパターンにおいても明るいグレーと濃いグレーが左右に配置されており、その配置がそれぞれ左右反転させられている
【００２６】
なお、同図において×がカメラ４１，４１の視野Ｓの中心を示しており、波線の円が視野Ｓの最外縁を示している。カメラ４１，４１の死角を意味する視野Ｓの外側においては、それぞれのテストパターンが対応する入力系統名“ＶＩＤＥＯ１”と“ＶＩＤＥＯ２”を表す文字が示されている。従って、いずれの入力系統に対応するテストパターンが表示されているかを容易に認識することができる。また、カメラ４１，４１の死角にて入力系統名の表示を行っているため、カメラ４１，４１による測色結果に影響が出ることはない。
【００２７】
図３における配置取得部Ｐ３は、カラーアナライザー４０から出力される測色結果を取得し、同測色結果に基づいてカメラ４１，４１が撮像したテストパターンの色配置を特定する。カラーアナライザー４０はカメラ４１，４１が撮像した画像データを取得し、各画像データの平均的な色を算出する。例えば、各画像データの平均的な色のＬ*ａ*ｂ*座標値をカラーアナライザー４０が特定する。そして、配置取得部Ｐ３は、テストパターンの左右のＬ*ａ*ｂ*座標値を取得し、いずれのＬ*値が大きいかを判定する。
【００２８】
右側のＬ*値の方が大きいときには、撮像されたテストパターンがＶＩＤＥＯ１用のものであることを特定する。反対に、左側のＬ*値の方が大きいときには、撮像されたテストパターンがＶＩＤＥＯ２用のものであることを特定する。すなわち、配置取得部Ｐ３は、撮像されたテストパターンの色配置を特定し、同色配置に基づいてテストパターンが対応する入力系統を特定する。
【００２９】
算出部Ｐ４は、Ｌ*ａ*ｂ*値を取得し、同Ｌ*ａ*ｂ*に基づいてホワイトバランス調整用の調整パラメータＰv1，Ｐv2を算出する。テストパターンは無彩色であるため、左右ともにａ*ｂ*値は０であることが理想である。しかしながら、テストパターンを表示するアナログ映像信号を、Ａ／Ｄ変換回路２３ｂ１，２３ｂ２がＡ／Ｄ変換を行う際や、色信号をＲＧＢ階調に変換する際に誤差が発生するため、わずかな色彩が生じることとなる。算出部Ｐ４はＬ*ａ*ｂ*値を取得し、色彩をうち消すような調整パラメータＰv1，Ｐv2を算出する。例えば、入力されたＬ*ａ*ｂ*値がわずかに赤みがかった色を表す場合には、Ｒ階調をわずかに減じるような調整パラメータＰv1，Ｐv2を算出する。
【００３０】
なお、選択部Ｐ１がＶＩＤＥＯ１を選択しているときはＶＩＤＥＯ１用の調整パラメータＰv1を生成し、選択部Ｐ１がＶＩＤＥＯ２を選択しているときはＶＩＤＥＯ２用の調整パラメータＰv2を生成する。また、各テストパターンは２種類の明度（輝度）を有しているため、それぞれについて調整パラメータＰv1，Ｐv2を算出することができる。そして、各明度について算出された調整パラメータＰv1，Ｐv2に基づいて補間を行うことにより、全明度に対する調整パラメータＰv1，Ｐv2を算出する。すなわち、各階調に対してＲＧＢの値をどれだけ補正するかを特定する補正値が調整パラメータＰv1，Ｐv2として算出される。ただし、調整パラメータＰv1，Ｐv2は、ホワイトバランス調整前後のＲＧＢ階調の対応関係が特定できればよく、同対応関係を表す関数が算出されてもよい。
【００３１】
そして、算出された調整パラメータＰv1，Ｐv2は、設定部Ｐ５に出力され、同設定部Ｐ５が調整パラメータＰv1，Ｐv2をテレビジョン２０に設定する。具体的には、調整パラメータＰv1，Ｐv2をリモコン送信器３９に出力し、赤外線信号として調整パラメータＰv1，Ｐv2をテレビジョン２０に伝送する。テレビジョン２０においては、調整パラメータＰv1，Ｐv2を受信し、ＥＥＰＲＯＭ２５にて記憶させる。
【００３２】
（２）ホワイトバランス調整の流れ：
図５は、ホワイトバランス調整を行う処理の流れを示している。ステップＣ０１においては、テレビジョン２０の液晶モニター２１に対して２個のカメラ４１，４１が対面する位置にてコンベアＣＶを停止させる。ステップＣ０２においては、選択部Ｐ１が、調整する入力系統としてＶＩＤＥＯ１を選択する。ステップＣ０３においては、リモコン信号発生部がＶＩＤＥＯ１用のテストパターンを表示させる旨のリモコン信号を生成し、リモコン発信器３９に同リモコン信号を出力する。これにより、ステップＴ０１にて同リモコン信号を受信したテレビジョン２０は、ステップＴ０２にてＶＩＤＥＯ１用のテストパターンを液晶モニター２１に表示することができる。
【００３３】
ステップＣ０４においては、カメラ４１，４１にて撮像を行い、各カメラ４１，４１における測色結果がカラーアナライザー４０から入力される。ステップＣ０５においては配置取得部Ｐ２がカラーアナライザー４０による測色結果から、撮像されたテストパターンの色配置を特定し、同テストパターンがＶＩＤＥＯ１用であるかＶＩＤＥＯ２用であるかを判定する。そして、ステップＣ０６にて右側のＬ*値が左側のＬ*値よりも小さく、ＶＩＤＥＯ２用のテストパターンが撮像されたと判定された場合には、ＶＩＤＥＯ１用のテストパターンを表示するように指示したにもかかわらずＶＩＤＥＯ２用のテストパターンが表示されているとしてエラー終了する。
【００３４】
一方、ステップＣ０６にて右側のＬ*値が左側のＬ*値よりも大きく、ＶＩＤＥＯ１用のテストパターンが撮像されたと判定された場合には、適正なテストパターンが表示されているとしてステップＣ０７に進む。ステップＣ０７においては、算出部Ｐ４がＶＩＤＥＯ１用の調整パラメータＰv1を算出する。そして、ステップＣ０８において、設定部Ｐ５が調整パラメータＰv1を搬送した赤外線リモコン信号をテレビジョン２０に出力し、テレビジョン２０はステップＴ０３にて同赤外線リモコン信号を受信する。これにより、ステップＴ０４にてテレビジョン２０のＥＥＰＲＯＭ２５に記憶されたＶＩＤＥＯ１の調整パラメータＰv1を更新させることができる。
【００３５】
設定部Ｐ５が調整パラメータＰv1を出力すると、選択部Ｐ１がステップＣ０９にて調整する入力系統としてＶＩＤＥＯ２を選択する。ステップＣ１０においては、リモコン信号発生部がＶＩＤＥＯ２用のテストパターンを表示させる旨のリモコン信号を生成し、リモコン発信器３９に同リモコン信号を出力する。これにより、ステップＴ０５にて同リモコン信号を受信したテレビジョン２０は、ステップＴ０６にてＶＩＤＥＯ２用のテストパターンを液晶モニター２１に表示することができる。
【００３６】
ステップＣ１１においては、カメラ４１，４１にて撮像を行い、各カメラ４１，４１における測色結果がカラーアナライザー４０から入力される。ステップＣ１２においては配置取得部Ｐ２がカラーアナライザー４０による測色結果から、撮像されたテストパターンの色配置を特定し、同テストパターンがＶＩＤＥＯ１用であるかＶＩＤＥＯ２用であるかを判定する。そして、ステップＣ１３にて右側のＬ*値が左側のＬ*値よりも大きく、ＶＩＤＥＯ１用のテストパターンが撮像されたと判定された場合には、ＶＩＤＥＯ２用のテストパターンを表示するように指示したにもかかわらずＶＩＤＥＯ１用のテストパターンが表示されているとしてエラー終了する。
【００３７】
一方、ステップＣ１３にて右側のＬ*値が左側のＬ*値よりも小さく、ＶＩＤＥＯ２用のテストパターンが撮像されたと判定された場合には、適正なテストパターンが表示されているとしてステップＣ１４に進む。ステップＣ１４においては、算出部Ｐ４がＶＩＤＥＯ２用の調整パラメータＰv2を算出する。そして、ステップＣ１５において、設定部Ｐ５が調整パラメータＰv2を搬送した赤外線リモコン信号をテレビジョン２０に出力し、テレビジョン２０はステップＴ０７にて同赤外線リモコン信号を受信する。
【００３８】
これにより、ステップＴ０８にてテレビジョン２０のＥＥＰＲＯＭ２５に記憶されたＶＩＤＥＯ２の調整パラメータＰv2を更新させることができる。上述したとおり、Ａ／Ｄ変換回路２３ｂ１，２３ｂ２がＡ／Ｄ変換を行う際や、色信号をＲＧＢ階調に変換する際に誤差が発生する。従って、これら誤差要因を経由して表示された入力系統ごとのテストパターンを測色して、調整パラメータＰv1，Ｐv2を設定しておくことにより、各入力系統の色再現性を誤差を打ち消すことができる。
【００３９】
（３）まとめ
以上説明したように、本発明においてテレビジョン２０のマイコン２４が実行する信号発生モジュールＭ１がテストパターンを表示可能なアナログ映像信号を生成するため、外部に信号発生器等を接続せずに済み、作業性がよい。また、調整対象とする複数の入力系統を順次選択し、それぞれについて調整パラメータＰv1，Ｐv2を算出することができる。その際、リモコン信号によってコンピュータ２０とテレビジョン１０が呼応した動作を行うため、調整パラメータＰv1，Ｐv2の誤設定が防止できる。さらに、入力系統ごとにテストパターンの色配置をコンピュータ２０が識別するため、より正確な調整を行うことができる。
【００４０】
なお、上述した実施形態においては液晶モニターの画質を調整するものを例示したが、テレビジョンのモニターとしてはプラズマパネルやＣＲＴ等のいかなる表示素子も適用することができる。また、本発明はホワイトバランスの調整のみならず、ガンマ補正や輝度調整やコントラスト調整等の種々の画質調整に対しても適用することができる。
【図面の簡単な説明】
【００４１】
【図１】テレビジョンのホワイトバランス調整システムの概略構成図である。
【図２】テレビジョンの内部ブロック図である。
【図３】コンピュータの内部ブロック図である。
【図４】テストパターンを示す図である。
【図５】ホワイトバランス調整処理の流れを示すフローチャートである。
【符号の説明】
【００４２】
１０…ホワイトバランス調整システム
２０…テレビジョン
２１…液晶モニター
２３…画像処理回路
２６…リモコン受信器
３０…コンピュータ
３９…リモコン送信器
４０…カラーアナライザー
４１…カメラ
【図１】
2007036859.tif 000003
【図２】
2007036859.tif 000004
【図３】
2007036859.tif 000005
【図４】
2007036859.tif 000006
【図５】
2007036859.tif 000007